(57)【要約】【課題】表示装置が提供される。【解決手段】表示装置は、第１辺と第２辺とを含む表示装置であって、表示パネルを含む表示モジュールと、表示モジュールの上部に配置されたタッチ部材と、第１辺に対応する、タッチ部材の第１エッジに設けられた基板取付部上に取り付けられ、表示モジュールの下方に曲げられた第１駆動基板とを含み、表示モジュールは、第１辺に対応する、表示モジュールの第１エッジに配置され、タッチ部材の基板取付部よりも外方に突出した曲げ支持構造を含む。【選択図】図４
2019159313.tif 000002
【特許請求の範囲】
【請求項１】
第１辺と第２辺とを含む表示装置であって、
表示パネルを含む表示モジュールと、
前記表示モジュールの上部に配置されたタッチ部材と、
前記第１辺に対応する、前記タッチ部材の第１エッジに設けられた基板取付部上に取り付けられ、前記表示モジュールの下方に曲げられた第１駆動基板と、
を含み、
前記表示モジュールは、前記第１辺に対応する、前記表示モジュールの第１エッジに配置され、前記タッチ部材の前記基板取付部よりも外方に突出した曲げ支持構造を含む、表示装置。
【請求項２】
前記第１駆動基板の下面は、前記曲げ支持構造に少なくとも部分的に接する、請求項１に記載の表示装置。
【請求項３】
前記曲げ支持構造は、前記タッチ部材の前記第１エッジよりも外方に突出する、請求項１に記載の表示装置。
【請求項４】
前記基板取付部は、前記タッチ部材の下面に設けられ、前記第１駆動基板の上面が前記基板取付部に取り付けられる、請求項１に記載の表示装置。
【請求項５】
前記タッチ部材の前記第１エッジは、第１基準側面と、前記第１基準面から突出した少なくとも一つの第１突出部とを含み、
前記基板取付部は、前記第１突出部に配置される、請求項１に記載の表示装置。
【請求項６】
前記表示モジュールの前記第１エッジは、第２基準側面と、前記第２基準側面から突出し、前記第１突出部と重畳する第２突出部とを含み、
前記第２突出部は、前記曲げ支持構造を構成する、請求項５に記載の表示装置。
【請求項７】
前記第２突出部は、前記第１突出部よりも外方にさらに突出する、請求項６に記載の表示装置。
【請求項８】
前記表示パネルは、前記第１辺に対応する、前記表示パネルの第１エッジから前記基板取付部よりも外方に突出して前記曲げ支持構造を構成する表示パネル支持部を含む、請求項１に記載の表示装置。
【請求項９】
前記表示モジュールは、前記表示パネルの上部に配置された光学フィルムをさらに含む、請求項１に記載の表示装置。
【請求項１０】
前記光学フィルムは、偏光フィルムを含む、請求項９に記載の表示装置。
【請求項１１】
前記光学フィルムは、前記第１辺に対応する、前記光学フィルムの第１エッジから前記基板取付部よりも外方に突出して前記曲げ支持構造を構成する光学フィルム支持部を含む、請求項９に記載の表示装置。
【請求項１２】
前記表示パネルは、前記第１辺に対応する、表示パネルの第１エッジから前記基板取付部よりも外方に突出して前記曲げ支持構造を構成する表示パネル支持部を含み、
前記表示パネル支持部と前記光学フィルム支持部とは、重畳し、外側面が互いに一致する、請求項１１に記載の表示装置。
【請求項１３】
前記表示モジュールは、前記光学フィルム支持部上に配置された支持樹脂をさらに含む、請求項１２に記載の表示装置。
【請求項１４】
前記表示モジュールは、前記表示パネルの下部に配置されたカバーパネル部材をさらに含む、請求項１に記載の表示装置。
【請求項１５】
前記カバーパネル部材は、前記タッチ部材の前記基板取付部よりも外方に突出したカバーパネル支持部を含み、
前記カバーパネル支持部は、前記曲げ支持構造を構成する、請求項１４に記載の表示装置。
【請求項１６】
前記カバーパネル部材は、接着フィルム、支持フィルム、センサーパネル、および放熱層のうちの少なくとも一つを含む、請求項１４に記載の表示装置。
【請求項１７】
前記カバーパネルは、ボディ部及びラウンドされた端部を有するサポーターを含み、
前記サポーターの前記ラウンドされた端部は、前記タッチ部材の前記基板取付部よりも外方に突出して前記曲げ支持構造を構成する、請求項１４に記載の表示装置。
【請求項１８】
前記表示モジュールと前記タッチ部材との間に配置された第１光透明接着部材をさらに含む、請求項１に記載の表示装置。
【請求項１９】
前記第１光透明接着部材は、前記基板取付部よりも外方に突出した第１光透明接着部材支持部を含み、
前記第１光透明接着部材支持部は前記曲げ支持構造を構成する、請求項１８に記載の表示装置。
【請求項２０】
前記タッチ部材上に配置された第２光透明接着部材、及び前記第２光透明接着部材上に配置されたウィンドウをさらに含む、請求項１８に記載の表示装置。
【請求項２１】
前記表示モジュールは、前記第２辺に対応する第２エッジに接続された第２駆動基板をさらに含む、請求項１に記載の表示装置。
【請求項２２】
前記第１駆動基板の少なくとも一部と前記第２駆動基板の少なくとも一部は、それぞれ、前記表示パネルの下面の下に配置される、請求項２１に記載の表示装置。
【請求項２３】
前記第１駆動基板は、タッチプリント基板を含み、
前記第２駆動基板は、表示プリント基板を含む、請求項２２に記載の表示装置。
【請求項２４】
前記表示パネルは、
メイン領域と、
前記第２辺に対応する、前記メイン領域の第２エッジに連結され、前記メイン領域の下側に曲げられた曲げ領域と、
前記曲げ領域に連結され、前記メイン領域と重畳したサブ領域とを含む、請求項１に記載の表示装置。
【請求項２５】
前記表示装置は長方形の形状であり、前記第１辺は長辺であり、前記第２辺は短辺である、請求項１に記載の表示装置。
【請求項２６】
第１辺と第２辺とを含む表示装置であって、
表示パネルを含む表示モジュールと、
前記表示モジュールの上部に配置されたタッチ部材と、
前記第１辺に対応する、前記タッチ部材の第１エッジに取り付けられ、前記表示モジュールの下方に曲げられたタッチプリント基板と、
を含み、
前記表示モジュールは、前記第１辺に対応する、前記表示モジュールの第１エッジに配置され、前記タッチ部材の前記第１エッジよりも外方に突出した表示モジュール突出部を含む、表示装置。
【請求項２７】
前記タッチプリント基板の下面は、前記表示モジュール突出部と接触する、請求項２６に記載の表示装置。
【請求項２８】
前記表示パネルは、
メイン領域と、
前記第２辺に対応する、前記メイン領域の第２エッジに連結され、前記メイン領域の下側に曲げられた曲げ領域と、
前記曲げ領域に連結され、前記メイン領域と重畳したサブ領域とを含む、請求項２６に記載の表示装置。
【請求項２９】
前記表示装置は長方形の形状であり、前記第１辺は長辺であり、前記第２辺は短辺である、請求項２８に記載の表示装置。
【請求項３０】
表示パネルと、前記表示パネルの上部に配置されたタッチ部材とを含み、第１エッジ及び第２エッジを有する表示装置であって、
前記第１エッジに配置され、下方に曲げられた第１曲げ構造物と、
前記第２エッジに配置され、下方に曲げられた第２曲げ構造物と、
前記第２曲げ構造物の曲げ内側面に接する曲げ支持構造と、
を含み、
前記第１曲げ構造物は、前記表示パネルの一部からなり、
前記第２曲げ構造物は、前記タッチ部材に取り付けられたタッチプリント基板の一部からなる、表示装置。
【請求項３１】
前記曲げ支持構造に接する前記第２曲げ構造物の前記曲げ内側面は、下側に面している面である、請求項３０に記載の表示装置。
【請求項３２】
前記第１曲げ構造物と前記第２曲げ構造物とは厚さ方向に重畳しない、請求項３１に記載の表示装置。
【発明の詳細な説明】
【技術分野】
【０００１】
本発明は、表示装置に係り、より詳細には、曲げ構造物を含む表示装置に関する。
【背景技術】
【０００２】
表示装置は、画像を表示する装置であって、有機発光表示パネルや液晶表示パネルなどの表示パネルを含む。表示装置は、表示パネルを外部の衝撃から保護するためのウィンドウを含むことができる。幾つかの携帯電子機器はタッチ入力機能を必要とする。このような表示装置は、タッチ入力機能を行うタッチ部材を含むことができる。
【０００３】
タッチ部材にはフィルムタイプのタッチプリント基板が取り付けられてもよい。ベゼル領域を減らすために、タッチプリント基板は下方に曲げられてもよい。ところが、タッチプリント基板が曲げられる過程で過度なストレスを受けると、タッチ部材に無理が生じるおそれがある。
【発明の概要】
【発明が解決しようとする課題】
【０００４】
本発明が解決しようとする課題は、曲げ構造物によるストレスを緩和した表示装置を提供することである。
【０００５】
本発明が解決しようとする課題は上述した課題に限定されず、上述していない別の課題は以降の記載から当業者に明確に理解できるだろう。
【課題を解決するための手段】
【０００６】
上記の課題を解決するための一実施形態に係る表示装置は、第１辺と第２辺とを含む表示装置であって、表示パネルを含む表示モジュールと、前記表示モジュールの上部に配置されたタッチ部材と、前記第１辺に対応する、前記タッチ部材の第１エッジに設けられた基板取付部上に取り付けられ、前記表示モジュールの下方に曲げられた第１駆動基板と、を含み、前記表示モジュールは、前記第１辺に対応する、前記表示モジュールの第１エッジに配置され、前記タッチ部材の前記基板取付部よりも外方に突出した曲げ支持構造を含む。
【０００７】
前記第１駆動基板の下面は、前記曲げ支持構造に少なくとも部分的に接してもよい。
【０００８】
前記曲げ支持構造は、前記タッチ部材の前記第１エッジより外方に突出してもよい。
【０００９】
前記基板取付部は、前記タッチ部材の下面に設けられ、前記第１駆動基板の上面が前記基板取付部に取り付けられてもよい。
【００１０】
前記タッチ部材の前記第１エッジは、第１基準側面と、前記第１基準面から突出した少なくとも一つの第１突出部とを含み、前記基板取付部は、前記第１突出部に配置されてもよい。
【００１１】
前記表示モジュールの前記第１エッジは、第２基準側面と、前記第２基準側面から突出し、前記第１突出部と重畳する第２突出部とを含み、前記第２突出部は、前記曲げ支持構造を構成してもよい。
【００１２】
前記第２突出部は、前記第１突出部よりも外方にさらに突出してもよい。
【００１３】
前記表示パネルは、前記第１辺に対応する前記表示パネルの第１エッジから前記基板取付部よりも外方に突出して前記曲げ支持構造を構成する表示パネル支持部を含んでもよい。
【００１４】
前記表示モジュールは、前記表示パネルの上部に配置された光学フィルムをさらに含んでもよい。
【００１５】
前記光学フィルムは、偏光フィルムを含んでもよい。
【００１６】
前記光学フィルムは、前記第１辺に対応する、前記光学フィルムの第１エッジから前記基板取付部よりも外方に突出して前記曲げ支持構造を構成する光学フィルム支持部を含んでもよい。
【００１７】
前記表示パネルは、前記第１辺に対応する、表示パネルの第１エッジから前記基板取付部よりも外方に突出して前記曲げ支持構造を構成する表示パネル支持部を含み、前記表示パネル支持部と前記光学フィルム支持部とは、重畳し、外側面が互いに一致してもよい。
【００１８】
前記表示モジュールは、前記光学フィルム支持部上に配置された支持樹脂をさらに含んでもよい。
【００１９】
前記表示モジュールは、前記表示パネルの下部に配置されたカバーパネル部材をさらに含んでもよい。
【００２０】
前記カバーパネル部材は、前記タッチ部材の前記基板取付部よりも外方に突出したカバーパネル支持部を含み、前記カバーパネル支持部は、前記曲げ支持構造を構成してもよい。
【００２１】
前記カバーパネル部材は、接着フィルム、支持フィルム、センサーパネル、および放熱層のうちの少なくとも一つを含んでもよい。
【００２２】
前記カバーパネルは、ボディ部及びラウンドされた端部を有するサポーターを含み、前記サポーターの前記ラウンドされた端部は、前記タッチ部材の前記基板取付部よりも外方に突出して前記曲げ支持構造を構成してもよい。
【００２３】
前記表示モジュールと前記タッチ部材との間に配置された第１光透明接着部材をさらに含んでもよい。
【００２４】
前記第１光透明接着部材は、前記基板取付部よりも外方に突出した第１光透明接着部材支持部を含み、前記第１光透明接着部材支持部は、前記曲げ支持構造を構成してもよい。
【００２５】
表示装置は、前記タッチ部材上に配置された第２光透明接着部材、及び前記第２光透明接着部材上に配置されたウィンドウをさらに含んでもよい。
【００２６】
前記表示モジュールは、前記第２辺に対応する第２エッジに接続された第２駆動基板をさらに含んでもよい。
【００２７】
前記第１駆動基板の少なくとも一部と前記第２駆動基板の少なくとも一部は、それぞれ、前記表示パネルの下面の下に配置されてもよい。
【００２８】
前記第１駆動基板はタッチプリント基板を含み、前記第２駆動基板は表示プリント基板を含んでもよい。
【００２９】
前記表示パネルは、メイン領域と、前記第２辺に対応する、前記メイン領域の第２エッジに連結され、前記メイン領域の下側に曲げられた曲げ領域と、前記曲げ領域に連結され、前記メイン領域と重畳したサブ領域とを含んでもよい。
【００３０】
前記表示装置は長方形の形状であり、前記第１辺は長辺であり、前記第２辺は短辺であってもよい。
【００３１】
上記の課題を解決するための他の実施形態に係る表示装置は、第１辺と第２辺とを含む表示装置であって、表示パネルを含む表示モジュールと、前記表示モジュールの上部に配置されたタッチ部材と、前記第１辺に対応する、前記タッチ部材の第１エッジに取り付けられ、前記表示モジュールの下方に曲げられたタッチプリント基板とを含み、前記表示モジュールは、前記第１辺に対応する、前記表示モジュールの第１エッジに配置され、前記タッチ部材の前記第１エッジよりも外方に突出した表示モジュール突出部を含む。
【００３２】
前記タッチプリント基板の下面は、前記表示モジュール突出部と接触してもよい。
【００３３】
前記表示パネルは、メイン領域と、前記第２辺に対応する、前記メイン領域の第２エッジに連結され、前記メイン領域の下側に曲げられた曲げ領域と、前記曲げ領域に連結され、前記メイン領域と重畳したサブ領域とを含んでもよい。
【００３４】
前記表示装置は長方形の形状であり、前記第１辺は長辺であり、前記第２辺は短辺であってもよい。
【００３５】
上記の課題を解決するための別の実施形態に係る表示装置は、表示パネルと、前記表示パネルの上部に配置されたタッチ部材とを含み、第１エッジ及び第２エッジを有する表示装置であって、前記第１エッジに配置され、下方に曲げられた第１曲げ構造物と、前記第２エッジに配置され、下方に曲げられた第２曲げ構造物と、前記第２曲げ構造物の曲げ内側面に接する曲げ支持構造とを含み、前記第１曲げ構造物は、前記表示パネルの一部からなり、前記第２曲げ構造物は、前記タッチ部材に取り付けられたタッチプリント基板の一部からなる。
【００３６】
前記曲げ支持構造に接する前記第２曲げ構造物の前記曲げ内側面は、下側に面している面であってもよい。
【００３７】
前記第１曲げ構造物と前記第２曲げ構造物とは、厚さ方向に重畳しなくてもよい。
【００３８】
その他の実施形態の具体的な事項は、詳細な説明及び図面に含まれている。
【発明の効果】
【００３９】
一実施形態に係る表示装置によれば、タッチ部材に取り付けられたタッチ駆動基板が曲げられるときに、タッチ駆動基板の下面が支持されることにより、曲げストレスを減少させることができる。それにより、異方性導電フィルム及びタッチ部材の基板取付部へ伝達されるストレスの量を減少させ、タッチ駆動基板の分離またはタッチ部材のクラック発生の可能性を減少させることができる。
【００４０】
実施形態に係る効果は以上で例示された内容によって限定されず、さらに様々な効果が本明細書中に含まれている。
【図面の簡単な説明】
【００４１】
【図１】一実施形態に係る表示装置の斜視図である。
【図２】図１の表示装置の分解斜視図である。
【図３】図１のＩＩＩ−ＩＩＩ'線に沿った断面図である。
【図４】図１のＩＶａ−ＩＶａ'線に沿った断面及びＩＶｂ−ＩＶｂ'線に沿った断面を一緒に示す図である。
【図５】一実施形態に係る表示パネルの底面図である。
【図６Ａ】一実施形態に係るタッチ部材の底面図である。
【図６Ｂ】一実施形態に係るタッチ部材の底面図である。
【図７】図５の表示パネルと図６のタッチパネルとを重畳配置した底面図である。
【図８】一実施形態に係る表示装置の断面図である。
【図９】様々な実施形態に係る表示装置の断面図である。
【図１０】様々な実施形態に係る表示装置の断面図である。
【図１１】様々な実施形態に係る表示装置の断面図である。
【図１２】様々な実施形態に係る表示装置の断面図である。
【図１３】別の実施形態に係る表示装置の断面図である。
【図１４】別の実施形態に係る表示装置の断面図である。
【図１５】別の実施形態に係る表示装置の断面図である。
【図１６】一実施形態に係るタッチ部材の断面図である。
【図１７】他の実施形態に係るタッチ部材の断面図である。
【図１８】別の実施形態に係るタッチ部材の断面図である。
【図１９】別の実施形態に係るタッチ部材の断面図である。
【発明を実施するための形態】
【００４２】
本発明の利点、特徴、及びそれらを達成する方法は、添付図面と共に詳細に後述されている実施形態を参照すると明確になるだろう。しかし、本発明は、以下で開示する実施形態に限定されるものではなく、互いに異なる多様な形態で実現される。但し、本実施形態は、単に本発明の開示を完全たるものにし、本発明の属する技術分野における通常の知識を有する者に発明の範疇を完全に知らせるために提供されるものである。本発明は、請求項の範疇によってのみ定められる。
【００４３】
素子（ｅｌｅｍｅｎｔｓ）または層が他の素子または層の「上（ｏｎ）」にあると記載された場合は、他の素子または層の真上に存在する場合、またはそれらの間に別の層または別の素子が介在している場合を全て含む。明細書全体にわたって、同一の参照符号は同一の構成要素を指し示す。
【００４４】
例えば、「第１」、「第２」などの用語は様々な構成要素を叙述するために使用されるが、これらの構成要素はこれらの用語によって限定されない。これらの用語は、単に一つの構成要素を他の構成要素と区別するために使用するものである。よって、以下で言及される第１構成要素は本発明の技術的思想内で第２構成要素である場合もある。
【００４５】
以下、添付図面を参照して実施形態について説明する。
【００４６】
図１は一実施形態に係る表示装置の斜視図である。図２は図１の表示装置の分解斜視図である。図３は図１のＩＩＩ−ＩＩＩ’線に沿った断面図である。図４は図１のＩＶａ−ＩＶａ’線に沿った断面及びＩＶｂ−ＩＶｂ’線に沿った断面を一緒に示す図である。
【００４７】
他に定義がない限り、本明細書において、厚さ方向における「上部」、「上面」は表示パネルを基準にして表示面側を意味し、「下部」、「下面」は表示パネルを基準にして表示面の反対側を意味するものとする。また、平面方向からの「上」、「下」、「左」、「右」は、表示面を定位置に置いて上方から眺めたときの方向を示すものとする。
【００４８】
図１〜図４に示すように、表示装置１は、平面視において、実質的な長方形の形状を有してもよい。表示装置１は、平面視において、角が直角の長方形または角が丸い長方形の形状であってもよい。表示装置１は、４つの辺またはエッジを含む。表示装置１は、両長辺ＬＳ１、ＬＳ２と両短辺ＳＳ１、ＳＳ２を含む。長方形形状の表示装置１またはそれに含まれる表示パネル１００などの部材において、平面視で、右側に位置する長辺を第１長辺ＬＳ１、左側に位置する長辺を第２長辺ＬＳ２、上側に位置する短辺を第１短辺ＳＳ１、下側に位置する短辺を第２短辺ＳＳ２とする。表示装置１の長辺ＬＳ１、ＬＳ２の長さは、短辺ＳＳ１、ＳＳ２の長さの１．２倍以上２．５倍以下の範囲であってもよいが、これらに限定されるものではない。
【００４９】
図２に示すように、表示装置１は、表示モジュール１０、表示モジュール１０の上部に配置されたタッチ部材２０、及びタッチ部材２０の上部に配置されたウィンドウ３０を含む。表示装置１は、表示モジュール１０に取り付けられた表示駆動基板５１、及びタッチ部材２０に取り付けられたタッチ駆動基板５２をさらに含む。表示駆動基板５１とタッチ駆動基板５２とは、それぞれ、一部または全部が表示モジュール１０の表示パネル１００とカバーパネル部材１２０の下部に配置できる。表示駆動基板５１とタッチ駆動基板５２は、それぞれ、フィルム状の駆動フィルムであってもよいが、これに限定されるものではない。
【００５０】
図１に示すように、表示装置１は、少なくとも一つの曲げ構造物ＢＳＴ１、ＢＳＴ２を含むことができる。例えば、表示装置１は、表示装置１の第１エッジに位置する第１曲げ構造物ＢＳＴ１と、表示装置１の第２エッジに位置する第２曲げ構造物ＢＳＴ２とを含んでもよい。第１エッジと第２エッジは、互いに異なるエッジであって、互いに隣接したエッジであってもよい。例えば、第１エッジは表示装置１の第２短辺ＳＳ２（第２辺）に対応し、第２エッジは表示装置１の第１長辺ＬＳ１（第１辺）に対応してもよい。第１曲げ構造物ＢＳＴ１は、表示装置１の第２短辺ＳＳ２に位置してもよく、第２曲げ構造物ＢＳＴ２は、表示装置１の第１長辺ＬＳ１に位置してもよい。しかし、これに限定されず、第１曲げ構造物ＢＳＴ１と第２曲げ構造物ＢＳＴ２とが、互いに対向するエッジに位置してもよい。
【００５１】
曲げ構造物ＢＳＴ１、ＢＳＴ２は、丸みを帯びるように曲がって平面視外方に突出するが、一つのエッジに２以上の曲げ構造物ＢＳＴ１、ＢＳＴ２が重畳して配置されると、これらの間に干渉が発生するおそれがあるだけでなく、外方に突出する幅が大きくなるおそれがある。つまり、曲げ構造物ＢＳＴ１、ＢＳＴ２がエッジから外方に突出するほど、表示装置１のベゼルが大きくなるおそれがある。上述したように、第１曲げ構造物ＢＳＴ１と第２曲げ構造物ＢＳＴ２とを互いに異なるエッジに位置させると、厚さ方向に重畳しないためこれらの間の干渉が減少し、各エッジから曲げ構造物ＢＳＴ１、ＢＳＴ２によって突出する幅を抑制することができるため、表示装置１のベゼルの幅を減らすことができる。
【００５２】
第１曲げ構造物ＢＳＴ１と第２曲げ構造物ＢＳＴ２とは、それぞれ、表示装置１の駆動部に関係するものであってもよい。例えば、第１曲げ構造物ＢＳＴ１は、ディスプレイ駆動部である表示駆動基板５１に関係し、第２曲げ構造物ＢＳＴ２は、タッチ駆動部であるタッチ駆動基板５２に関係する。表示駆動基板５１及びタッチ駆動基板５２は、それ自体が曲げられて曲げ構造物を構成することができ、他の部材が曲げられて形成された曲げ構造物に接続することもできる。図面では、一例として、表示駆動基板５１は、別個の第１曲げ構造物ＢＳＴ１に接続され、タッチ駆動基板５２は、それ自体の一部が第２曲げ構造物ＢＳＴ２を構成する場合を示している。しかし、これに限定されず、表示駆動基板５１が、表示パネル１００に取り付けられた後、それ自体が曲げられて第１曲げ構造物ＢＳＴ１を構成することもできる。また、タッチ駆動基板５２が、タッチ部材２０自体、またはタッチ部材２０に取り付けられたフィルムが曲げられて構成された第２曲げ構造物ＢＳＴ２に取り付けられるか或いは接続されることもできる。
【００５３】
表示モジュール１０は、曲げ構造物を支持する曲げ支持構造を含むことができる。曲げ支持構造は一つ以上の部材から構成できる。これについての詳細な説明は後述する。
【００５４】
以下、上述した表示装置１の各構成についてより詳細に説明する。
【００５５】
表示モジュール１０は、表示パネル１００、表示パネル１００の上部に配置された光学フィルム１１０、及び表示パネル１００の下部に配置されたカバーパネル部材１２０を含む。
【００５６】
表示パネル１００は、入力されたデータ信号によってイメージを表示するパネルであって、有機発光表示パネル、液晶表示パネル、プラズマ表示パネル、電気泳動表示パネル、電気湿潤表示パネル、量子ドット発光表示パネル、マイクロＬＥＤ（Ｌｉｇｈｔ  ｅｍｉｔｔｉｎｇ  ｄｉｏｄｅ）表示パネルなどのパネルが適用できる。本実施形態では、一例として、表示パネル１００として有機発光表示パネルが適用されている。
【００５７】
表示パネル１００は、ポリイミドなどの可撓性高分子物質を含むフレキシブル基板を含んでもよい。それにより、表示パネル１００は、撓んだり、折り曲げられたり、折れたり、捲れたりすることができる。
【００５８】
図３に示すように、表示パネル１００は、メイン領域ＭＲと、メイン領域ＭＲの一側に連結されたパネル曲げ領域ＢＲ１とを含む。表示パネル１００は、パネル曲げ領域ＢＲ１の一側に連結され、メイン領域ＭＲと厚さ方向に重畳したサブ領域ＳＲとをさらに含んでもよい。
【００５９】
表示パネル１００における画面を表示する部分を表示部ＤＰＡと定義し、画面を表示しない部分を非表示部ＮＤＡと定義すれば、表示パネル１００の表示部ＤＰＡは、メイン領域ＭＲ内に配置される。表示部ＤＰＡを除いた残りの部分は、表示パネル１００の非表示部ＮＤＡになる。一実施形態において、メイン領域ＭＲにおける表示部ＤＰＡの周辺エッジ部分、パネル曲げ領域ＢＲ１全体およびサブ領域ＳＲ全体が非表示部ＮＤＡであってもよい。しかし、これに限定されるものではなく、パネル曲げ領域ＢＲ１および／またはサブ領域ＳＲも表示部ＤＰＡに含まれてもよい。
【００６０】
メイン領域ＭＲは、概ね、表示装置１の平面視外形と類似の形状を有することができる。メイン領域ＭＲは、一平面に位置した平坦領域であってもよい。しかし、これに限定されず、メイン領域ＭＲにおけるパネル曲げ領域ＢＲ１に連結されたエッジ（辺）を除いた残りエッジのうちの少なくとも一つのエッジが、曲がって曲面をなすか垂直方向に折り曲げられてもよい。
【００６１】
表示パネル１００の表示部ＤＰＡは、メイン領域ＭＲの中央部に配置されてもよい。表示部ＤＰＡは、複数のピクセル（画素）を含む。各ピクセルは、発光層と、発光層の発光量を制御する回路層とを含む。回路層は、表示配線、表示電極及び少なくとも一つのトランジスタを含んでもよい。本実施形態において、発光層は、有機発光物質を含んでもよい。発光層は封止膜によって密封されてもよい。封止膜は、発光層を密封して、外部から水分などが流入することを防止することができる。封止膜は、無機膜の単一または多層膜からなってもよく、無機膜と有機膜とを交互に積層した積層膜からなってもよい。
【００６２】
表示部ＤＰＡは、長方形の形状または角丸長方形の形状を有してもよい。しかし、これに限定されるものではなく、表示部ＤＰＡは、正方形、またはその他の多角形、または円形、楕円形などの多様な形状を有してもよい。
【００６３】
メイン領域ＭＲにおける、パネル曲げ領域ＢＲ１に連結されたエッジ（辺）を除いた残りエッジのうち、少なくとも一つのエッジが曲面をなすか折り曲げられている場合、当該エッジにも表示部ＤＰＡが配置されてもよく、配置されなくてもよい。
【００６４】
メイン領域ＭＲにおける表示部ＤＰＡの周辺には、非表示部ＮＤＡが位置する。メイン領域ＭＲの非表示部ＮＤＡは、表示部ＤＰＡの外側境界から表示パネル１００のエッジまでの領域に配置されてもよい。メイン領域ＭＲの非表示部ＮＤＡには、表示部ＤＰＡに信号を印加するための信号配線または駆動回路が配置できる。また、メイン領域ＭＲの非表示部ＮＤＡには、最外郭ブラックマトリクスが配置できるが、これらに限定されるものではない。
【００６５】
パネル曲げ領域ＢＲ１は、メイン領域ＭＲの一側に連結される。例えば、パネル曲げ領域ＢＲ１は、メイン領域ＭＲの第２短辺ＳＳ２を介して連結してもよい。パネル曲げ領域ＢＲ１の幅は、メイン領域ＭＲの幅（短辺の幅）よりも小さくてもよいが、これらに限定されるものではない。
【００６６】
パネル曲げ領域ＢＲ１において、表示パネル１００は、下方、すなわち、表示面の反対方向に曲率をもって曲げられ、上述した第１曲げ構造物ＢＳＴ１を構成する。パネル曲げ領域ＢＲ１は、一定の曲率半径を有してもよいが、これに限定されず、区間ごとに異なる曲率半径を有してもよい。表示パネル１００がパネル曲げ領域ＢＲ１で折り曲げられることにより、表示パネル１００の面が反転される。すなわち、上部を向く表示パネル１００の一面がパネル曲げ領域ＢＲ１を介して外側を向いてから下部を向くように変更することができる。
【００６７】
サブ領域ＳＲは、パネル曲げ領域ＢＲ１から延びる。サブ領域ＳＲは、表示パネル１００の折り曲げが終了している位置から、メイン領域ＭＲと平行な方向に延びる。サブ領域ＳＲは、表示パネル１００の厚さ方向でメイン領域ＭＲと重畳してもよい。また、サブ領域ＳＲは、メイン領域ＭＲのエッジの非表示部ＮＤＡと重畳し、さらにメイン領域ＭＲの表示部ＤＰＡにまで重畳してもよい。
【００６８】
パネル曲げ領域ＢＲ１とサブ領域ＳＲには、複数の配線が配置できる。パネル曲げ領域ＢＲ１の配線は、メイン領域ＭＲの回路層と接続され、サブ領域ＳＲに延びてもよい。サブ領域ＳＲに延びた配線は、表示駆動基板５１と接続されてもよい。
【００６９】
表示パネル１００のパネル曲げ領域ＢＲ１とサブ領域ＳＲ上には、保護膜１３０が配置されてもよい。保護膜１３０は、駆動配線を覆って保護する。また、保護膜１３０は、フレキシブルな基板の強度を補強するか、或いはパネル曲げ領域ＢＲ１のストレスを緩和する役割を果たすことができる。保護膜１３０は、サブ領域ＳＲに位置する配線の一部（配線パッド）を露出させる。
【００７０】
保護膜１３０は、表示パネル１００のメイン領域ＭＲにまで一部配置されてもよい。保護膜１３０がメイン領域ＭＲ上に配置される場合、保護膜１３０は、メイン領域ＭＲの非表示部ＮＤＡに位置し、表示部ＤＰＡにまでは延びていなくてもよい。保護膜１３０は、後述する光学フィルム１１０とは積層されず、重畳されていなくてもよい。
【００７１】
一実施形態において、保護膜１３０は、例えば、ポリイミド、アクリレート、エポキシなどの有機物コーティング層を含む。他の実施形態において、保護膜１３０は保護フィルムの形で取り付けられてもよい。
【００７２】
表示パネル１００のサブ領域ＳＲには、表示駆動基板５１が接続される。表示駆動基板５１は、フレキシブルプリント基板であってもよい。表示駆動基板５１は、フィルムオンプラスチックの形で提供できるが、これに限定されるものではない。
【００７３】
一実施形態において、表示駆動基板５１は、接続フィルム６０を介して表示パネル１００のサブ領域ＳＲに接続されてもよい。例えば、接続フィルム６０の一端が表示パネル１００のサブ領域ＳＲの配線上に取り付けられ、接続フィルム６０の他端が表示駆動基板５１上に取り付けられてもよい。接続フィルム６０の取り付けは、異方性導電フィルム（図示せず）を介して行われことができる。接続フィルム６０は、例えばチップオンフィルムであってもよい。チップオンフィルムの一面または他面には、駆動チップ（図示せず）が実装できる。
【００７４】
他の実施形態において、表示駆動基板５１は、表示パネル１００のサブ領域ＳＲに直接取り付けられてもよい。
【００７５】
図５に示すように、表示パネル１００は、一つのエッジに、タッチ駆動基板５２を支持する表示パネル支持部１００ｐを含んでもよい。表示パネル支持部１００ｐは、表示モジュール１０の曲げ支持構造として機能する。これについての詳細な説明は後述する。
【００７６】
図３、図４に示すように、表示パネル１００のメイン領域ＭＲの下部には、カバーパネル部材１２０が配置される。カバーパネル部材１２０は、少なくとも一つの機能層を含む。機能層は、放熱機能、電磁波遮蔽機能、接地機能、緩衝機能、強度補強機能、支持機能、接着機能、圧力センシング機能、デジタイズ機能などを行う層であってもよい。機能層は、シートからなるシート層、フィルムからなるフィルム層、薄膜層、コーティング層、パネル、プレートなどであってもよい。一つの機能層は、単一層からなってもよいが、積層された複数の薄膜またはコーティング層からなってもよい。機能層は、例えば、支持基材、放熱層、電磁波遮蔽層、衝撃吸収層、結合層、圧力センサ、デジタイザなどであってもよい。
【００７７】
例示的な実施形態において、カバーパネル部材１２０は、第１支持フィルム１２１、センサーパネル１２２、金属フィルム１２３、第２支持フィルム１２５、第１接着層１２４及び第２接着層１２６を含む。
【００７８】
第１支持フィルム１２１と第２支持フィルム１２５は、それぞれ、ポリエチレンテレフタレート（ＰＥＴ）、ポリイミド（ＰＩ）、ポリカーボネート（ＰＣ）、ポリエチレン（ＰＥ）、ポリプロピレン（ＰＰ）、ポリスルホン（ＰＳＦ）、ポリメチルメタクリレート（ＰＭＭＡ）、トリアセチルセルロース（ＴＡＣ）、シクロオレフィンなどを含んで構成できる。第１支持フィルム１２１と第２支持フィルム１２５は、パターン化フィルム（ｐａｔｔｅｒｎｅｄ  ｆｉｌｍ）であってもよい。
【００７９】
センサーパネル１２２は、圧力センサーパネルであてもよい。センサーパネル１２２はフィルムの形で提供されてもよい。
【００８０】
金属フィルム１２３は、放熱フィルムおよび／または電磁波遮蔽フィルムであってもよい。
【００８１】
第１接着層１２４と第２接着層１２６は、それぞれ減圧接着剤を含んでもよい。第１接着層１２４と第２接着層１２６は、片面テープまたは両面テープの形で提供できる。図面では、第１接着層１２４と第２接着層１２６とを別個の部材として区分して示したが、これらは同じ部材として一体であってもよい。
【００８２】
第１支持フィルム１２１と第２支持フィルム１２５は、それぞれ、表示パネル１００に取り付けられてもよい。表示パネル１００への取り付けは、減圧接着剤などの結合層（図示せず）を介して行われてもよい。第１支持フィルム１２１は、表示パネル１００のメイン領域ＭＲの下面に配置される。第２支持フィルム１２５は、表示パネル１００のサブ領域ＳＲの上面に配置される。ここで、表示パネル１００のサブ領域ＳＲは、パネル曲げ領域ＢＲ１を介して曲げられた後、延長方向が反対となるように配置されるので、表示パネル１００のサブ領域ＳＲの上面はメイン領域ＭＲの下面とオーバーラップする。表示パネル１００のパネル曲げ領域ＢＲ１は、第１支持フィルム１２１及び第２支持フィルム１２５が取り付けられず、表示パネル１００の内側面が露出される。
【００８３】
第１支持フィルム１２１の下側には、センサーパネル１２３と金属膜１２３とが順次配置される。これらは結合層（図示せず）を介して互いに取り付けることができる。
【００８４】
金属フィルム１２３は、第２支持フィルム１２５と重畳して対向してもよい。金属フィルム１２３と第２支持フィルム１２５との間には第１接着層１２４が配置され、第１接着層１２４を介して金属膜１２３と第２支持フィルム１２５とが互いに接着する。その結果、表示パネル１００のサブ領域ＳＲが表示パネル１００のメイン領域ＭＲの下部に固定されて、遊動を防止することができる。
【００８５】
また、タッチ駆動基板５２は、タッチ部材２０に取り付けられ、下側に曲げられてカバーパネル部材１２０の下部に配置することができる。この場合、タッチ駆動基板５２と金属フィルム１２３とが重畳して対向し、これらの間に第２接着層１２６が配置されることで、タッチ駆動基板５２と金属膜１２３とを互いに結合させることができる。その結果、タッチ駆動基板５２がカバーパネル部材１２０に固定されて、遊動を防止することができる。
【００８６】
上述したカバーパネル部材１２０の構成のうち、一部は省略されてもよく、他の構成に置換されてもよい。積層順序も例示されたものに限定されず、様々な変形が可能である。
【００８７】
表示パネル１００の上部には、光学フィルム１１０が配置してもよい。光学フィルム１１０は、偏光フィルム、マイクロレンズ、プリズムフィルムなどを含むことができる。本実施形態では、光学フィルム１１０として偏光フィルムが適用された場合を想定する。
【００８８】
光学フィルム１１０は、表示パネル１００の上面に取り付ける。例えば、光学フィルム１１０の下面に、減圧接着剤などからなる結合層（図示せず）を配置して、これにより光学フィルム１１０を表示パネル１００の上面に取り付けることができる。
【００８９】
光学フィルム１１０は、表示パネル１００のメイン領域ＭＲと実質的に同一の形状を有してもよい。また、光学フィルム１１０は省略されてもよい。
【００９０】
光学フィルム１１０の上部にはタッチ部材２０が配置される。光学フィルム１１０とタッチ部材２０との間には第１光透明接着部材４１が介在してもよい。タッチ部材２０は、第１光透明接着部材４１を介して光学フィルム１１０と結合することができる。光学フィルム１１０が省略された場合、第１光透明接着部材４１は、表示パネル１００とタッチ部材２０との間に配置され、これらを結合してもよい。
【００９１】
タッチ部材２０は、静電容量方式、抵抗膜方式、電磁気誘導方式、赤外線方式などで入力地点の位置情報を取得することができる。本実施形態では、静電容量方式のタッチ部材２０が例示されるが、タッチ部材２０はこれに限定されるものではない。
【００９２】
タッチ部材２０は、複数のタッチ電極を含んでもよい。これについての詳細な説明は後述する。
【００９３】
タッチ部材２０は、表示パネル１００のメイン領域ＭＲの表示部ＤＰＡ全体を覆い、表示部ＤＰＡの周囲の非表示部ＮＤＡにまで重畳できる。タッチ部材２０は、表示パネル１００のメイン領域ＭＲと実質的に同一の形状を有してもよい。
【００９４】
タッチ部材２０の一つのエッジには、タッチ駆動基板５２が接続されてもよい。例えば、タッチ駆動基板５２は、タッチ部材２０の第１長辺ＬＳ１のエッジに取り付けられてもよい。タッチ駆動基板５２は、タッチ部材２０の下面に取り付けることができる。タッチ駆動基板５２は、異方性導電フィルム７０によってタッチ部材２０の下面に取り付けることができる。
【００９５】
タッチ駆動基板５２は、下方に曲げられ、上述した第２曲げ構造物ＢＳＴ２を構成する。タッチ駆動基板５２において、曲げられた領域はタッチ曲げ領域ＢＲ２と呼ばれる。タッチ曲げ領域ＢＲ２またはその付近におけるタッチ駆動基板５２の下面は、表示モジュール１０の曲げ支持構造によって支持できる。
【００９６】
タッチ部材２０の上部には、ウィンドウ３０が配置される。ウィンドウ３０は、タッチ部材２０及び表示パネル１００をカバーして保護する役割を果たす。ウィンドウ３０は、タッチ部材２０及び表示パネル１００よりも大きく、平面視において、タッチ部材２０と表示パネル１００よりもその側面が突出してもよい。ウィンドウ３０は、相対的に外方に突出する第１曲げ構造物ＢＳＴ１及び第２曲げ構造物ＢＳＴ２まで全てをカバーすることができる。
【００９７】
ウィンドウ３０は、透明な物質からなることができる。ウィンドウ３０は、例えば、ガラスまたはプラスチックを含んで構成できる。ウィンドウ３０がプラスチックを含む場合、ウィンドウ３０はフレキシブルな性質を持つことができる。
【００９８】
ウィンドウ３０に適用可能なプラスチックの例としては、これに限定されるものではないが、ポリイミド（ｐｏｌｙｉｍｉｄｅ）、ポリアクリレート（ｐｏｌｙａｃｒｙｌａｔｅ）、ポリメチルメタクリレート（ｐｏｌｙｍｅｔｈｙｌｍｅｔｈａｃｒｙｌａｔｅ、ＰＭＭＡ）、ポリカーボネート（ｐｏｌｙｃａｒｂｏｎａｔｅ、ＰＣ）、ポリエチレンナフタレート（ｐｏｌｙｅｔｈｙｌｅｎｅｎａｐｈｔｈａｌａｔｅ、ＰＥＮ）、ポリ塩化ビニリデン（ｐｏｌｙｖｉｎｙｌｉｄｅｎｅｃｈｌｏｒｉｄｅ）、ポリフッ化ビニリデン（ｐｏｌｙｖｉｎｙｌｉｄｅｎｅｄｉｆｌｕｏｒｉｄｅ、ＰＶＤＦ）、ポリスチレン（ｐｏｌｙｓｔｙｒｅｎｅ）、エチレン−ビニルアルコール共重合体（ｅｔｈｙｌｅｎｅ  ｖｉｎｙｌａｌｃｏｈｏｌ  ｃｏｐｏｌｙｍｅｒ）、ポリエーテルスルホン（ｐｏｌｙｅｔｈｅｒｓｕｌｐｈｏｎｅ、ＰＥＳ）、ポリエーテルイミド（ｐｏｌｙｅｔｈｅｒｉｍｉｄｅ、ＰＥＩ）、ポリフェニレンスルフィド（ｐｏｌｙｐｈｅｎｙｌｅｎｅｓｕｌｆｉｄｅ、ＰＰＳ）、ポリアリレート（ｐｏｌｙａｌｌｙｌａｔｅ）、トリアセチルセルロース（ｔｒｉ−ａｃｅｔｙｌｃｅｌｌｕｌｏｓｅ、ＴＡＣ）、セルロースアセテートプロピオネート（ｃｅｌｌｕｌｏｓｅ  ａｃｅｔａｔｅ  ｐｒｏｐｉｏｎａｔｅ、ＣＡＰ）などを挙げることができる。ウィンドウ３０は、上記列挙されたプラスチック物質のうちの少なくとも一つを含んで構成されてもよい。
【００９９】
ウィンドウ３０がプラスチックを含む場合、プラスチックの上下面に配置されたコーティング層（図示せず）をさらに含んでもよい。一実施形態において、コーティング層は、アクリレート化合物などを含む有機層および／または有機無機複合層を含むハードコート層であってもよい。有機層は、アクリレート化合物を含んでもよい。有機無機複合層は、アクリレート化合物などの有機物質にシリコンオキサイド、ジルコニウムオキサイド、アルミニウムオキサイド、タンタルオキサイド、ニオブオキサイド、ガラスビーズなどの無機物質が分散された層であってもよい。他の実施形態において、コーティング層は、金属酸化物層を含んでもよい。金属酸化物層は、チタン、アルミニウム、モリブデン、タンタル、銅、インジウム、スズ、タングステンなどの金属酸化物を含むことができるが、これに限定されるものではない。
【０１００】
ウィンドウ３０とタッチ部材２０との間には第２光透明接着部材４２が配置される。ウィンドウ３０とタッチ部材２０とは第２光透明接着部材４２によって互いに結合することができる。
【０１０１】
第１光透明接着部材４１及び第２光透明接着部材４２は、それぞれ、光学透明接着フィルム、光学透明接着テープまたは光学透明樹脂などからなることができる。
【０１０２】
第１光透明接着部材４１と第２光透明接着部材４２は、同一の物質からなることができるが、その性質は異なってもよい。例えば、第１光透明接着部材４１は、第２光透明接着部材４２よりも応力（モジュラス）が小さくてもよい。
【０１０３】
第１光透明接着部材４１は、第２光透明接着部材４２より薄くてもよい。例えば、第１光透明接着部材４１の厚さは０．１ｍｍであり、第２光透明接着部材４２の厚さは０．１５ｍｍであってもよい。しかし、第１光透明接着部材４１は、第２光透明接着部材４２の厚さの関係が上記の例示に限定されるものではない。
【０１０４】
以下、第２曲げ構造物ＢＳＴ２と曲げ支持構造について詳細に説明する。
【０１０５】
図５は、一実施形態に係る表示パネルの底面図である。図６は、一実施形態に係るタッチ部材の底面図である。図７は、図５の表示パネルと図６のタッチパネルとを重畳配置した底面図である。図５〜図７では、表示装置１の裏面側が示されることにより、図２に示している構成が左右逆に示されており、第１長辺ＬＳ１と第２長辺ＬＳ２の位置も図１の場合とは逆に示されている。
【０１０６】
図４〜図７を参照すると、タッチ部材２０は、タッチ配線パッド２１が配置された基板取付部ＦＡＨを含む。基板取付部ＦＡＨは複数個あってもよい。図６Ａ及び図６Ｂに示すように、タッチ駆動基板５２は、本体から突出した接続部５２ｐを含む。接続部５２ｐの個数は、基板取付部ＦＡＨの個数に対応する。タッチ駆動基板５２の突出した接続部５２ｐは、異方性導電フィルム７０などを介して基板取付部ＦＡＨ上に取り付けることができる。
【０１０７】
一実施形態において、タッチ部材２０の基板取付部ＦＡＨは、平面視外方に突出（または拡張）してもよい。例えば、表示装置１の第１長辺ＬＳ１に対応するタッチ部材２０のエッジは、基準側面２０ｒ、及び基準側面２０ｒから外方に突出したタッチ突出部２０ｐを含む。基板取付部ＦＡＨは、タッチ突出部２０ｐに配置される。
【０１０８】
図４に示すように、タッチ部材２０は、第１長辺ＬＳ１に対応するエッジ付近に段差部ＳＴＥを含んでもよい。タッチ部材２０の段差部ＳＴＥは、タッチ部材２０の下面に位置してもよい。タッチ部材２０の上面は平坦であってもよい。すなわち、図４の下側の絵に示すように、段差部ＳＴＥを基準にタッチ部材２０の中央側の厚さよりも第１長辺ＬＳ１に対応するエッジ側の厚さが薄くてもよい。基板取付部ＦＡＨは、厚さの薄い第１長辺ＬＳ１に対応するエッジ側に配置できる。タッチ部材２０が光学フィルム１１０上に取り付けても、段差部ＳＴＥによって厚さの薄い第１辺ＬＳ１に対応するエッジ側に空間が確保できる。この空間内にタッチ駆動基板５２が挿入されてタッチ部材２０の下面に取り付けられることができる。
【０１０９】
図４に示すように、表示パネル１００は、表示パネル支持部１００ｐを含む。表示パネル支持部１００ｐは、表示装置１の第１長辺ＬＳ１に対応するエッジに配置される。表示パネル支持部１００ｐは、基板取付部ＦＡＨよりも外方に突出してもよい。
【０１１０】
表示パネル支持部１００ｐは、平面視において、周辺に比べて突出（または拡張）してもよい。例えば、図５に示すように、第１長辺ＬＳ１に対応する表示パネル１００のエッジは、基準側面１００ｒ、及び基準側面１００ｒから外方に突出した表示パネル支持部１００ｐを含む。表示パネル支持部１００ｐは、基板取付部ＦＡＨと概ね重畳してもよい。
【０１１１】
表示パネル支持部１００ｐは、タッチ突出部２０ｐと重畳し、タッチ突出部２０ｐの形状と同一または類似の平面形状を有してもよい。また、表示パネル支持部１００ｐは、タッチ突出部２０ｐよりも外方にさらに突出してもよい。
【０１１２】
表示パネル支持部１００ｐは曲げ支持構造をなすことができる。図８は、一実施形態に係る表示装置の断面図であって、図４のＩＶｂ−ＩＶｂ’線に沿った断面図を部分拡大した図である。
【０１１３】
図８を参照すると、上述したように、タッチ駆動基板５２は、タッチ部材２０の下面に取り付けられた後、下方に曲げられる。基板取付部ＦＡＨの下部に曲げ支持構造がなければ、点線で示すように、タッチ駆動基板５２が急激に折れる虞がある。この場合、下方に相当のストレスがかかる。このストレスが異方性導電フィルム及びタッチ部材２０の基板取付部ＦＡＨ側にそのまま伝達されると、タッチ駆動基板５２が分離したり、第２光透明接着部材４２が剥離したりするおそれがある。また、タッチ部材２０にクラックが発生することもある。
【０１１４】
本実施形態のように表示パネル支持部１００ｐが基板取付部ＦＡＨの外方に突出すると、曲げられるタッチ駆動基板５２の下面が表示パネル支持部１００ｐ上に置かれて支持され、図４に示すように表示パネル支持１００ｐの端部外側にタッチ曲げ領域ＢＲ２が形成される。これにより、基板取付部ＦＡＨに取り付けられたタッチ駆動基板５２の初期曲げ角度が緩やかになり、下方へのストレスを減少させることができる。また、ストレスが発生しても、表示パネル支持部１００ｐ上の接触地点ＳＰＴでストレスを分散させることができるので、異方性導電フィルム７０及びタッチ部材２０の基板取付部ＦＡＨへ伝達されるストレスの量を減少させることができる。これにより、タッチ駆動基板５２の分離、またはタッチ部材２０のクラック発生の可能性を減少させることができる。
【０１１５】
一方、曲げ構造物のストレス緩和のために、曲げ構造物が曲げ支持構造に接触する面は、曲げ構造物の曲げ内側面になる。曲げ内側面は、概ね下側を向く面と上側を向く面に区分できるが、効果的なストレス緩和のためには、下側に面している内側面が曲げ支持構造に接触することが好ましい。
【０１１６】
曲げ支持構造は、表示パネル１００の他に、タッチ部材２０よりも下方に配置された他の部材をさらに含んでもよい。例えば、図８に示すように、表示パネル１００の上部の光学フィルム１１０が光学フィルム支持部１１０ｐを含み、光学フィルム１１０の上部の第１光透明接着部材４１が第１光透明接着部材支持部４１ｐを含んでもよい。光学フィルム支持部１１０ｐと第１光透明接着部材支持部４１ｐは、表示パネル支持部１００ｐと同様に、基板取付部ＦＡＨの外方に突出する。一実施形態において、光学フィルム支持部１１０ｐと第１光透明接着部材支持部４１ｐはいずれも、表示パネル支持部１００ｐと同一の形状を有し、その外側面が互いに一致してもよい。積層された表示パネル支持部１００ｐ、光学フィルム支持部１１０ｐ及び第１光透明接着部材支持部４１ｐは、一緒に曲げ支持構造を構成する。例示された実施形態において、タッチ駆動基板５２との接触地点ＳＰＴは、最も上部に置かれた第１光透明接着部材支持部４１ｐの表面であってもよい。
【０１１７】
図９〜図１２は、様々な実施形態に係る表示装置の断面図である。図９〜図１２は、曲げ支持構造を構成する様々な部材の組み合わせを例示している。
【０１１８】
図９の表示装置１＿１は、カバーパネル部材がカバーパネル部材支持部を含んでいる場合を示している。すなわち、第１支持フィルム１２１＿１が外方に拡張された第１支持フィルム支持部１２１ｐを含み、表示パネル支持部１００ｐ、光学フィルム支持部１１０ｐ及び第１光透明接着部材支持部４１ｐとともに曲げ支持構造を構成することができる。
【０１１９】
図１０の表示装置１＿２は、表示パネル支持部１００ｐと光学フィルム支持部１１０ｐを含む点で図８に示した実施形態と同一であるが、第１光透明接着部材４１が、拡張されていない点で図８に示した実施形態とは異なる。図１０の表示装置１＿２において、タッチ駆動基板５２との接触地点ＳＰＴは、光学フィルム支持部１１０ｐの表面である。
【０１２０】
図１１の表示装置１＿３は、光学フィルム支持部１１０ｐを含む点で図８に示した実施形態と同一であるが、表示パネル支持部１００ｐと第１光透明接着部材支持部４１ｐを含まない点で図８に示した実施形態とは異なる。図１１において、表示パネル１００と第１光透明接着部材４１は、拡張されず、光学フィルム１１０が単独で拡張されて曲げ支持構造を構成する。
【０１２１】
図１２の表示装置１＿４は、第１支持フィルム支持部１２１ｐを含む第１支持フィルム１２１が単独で曲げ支持構造を構成することができることを示している。図１２に示した実施形態において、タッチ駆動基板５２との接触地点ＳＰＴは第１支持フィルム支持部１２１ｐの表面である。
【０１２２】
その他に、曲げ支持構造を構成するための様々な組み合わせが可能であることを理解することができるだろう。
【０１２３】
図１３は別の実施形態に係る表示装置の断面図である。
【０１２４】
図１３を参照すると、本実施形態に係る表示装置１＿５は、カバーパネル部材１２０がマンドレル状のサポーター１２８をさらに含む点で、前述の実施形態とは異なる。サポーター１２８は、第１支持フィルム１２１とセンサーパネル１２２との間に配置できるが、これに限定されない。サポーター１２８は、ボディ部１２８ａ、及びボディ部１２８ａに連結された、ラウンドされた端部１２８ｂを含む。ラウンドされた端部１２８ｂは、基板取付部ＦＡＨの外方に突出するように配置される。サポーター１２８は、曲げ支持構造を構成することができる。タッチ駆動基板５２との接触地点ＳＰＴは、サポーター１２８のラウンドされた端部１２８ｂの表面であってもよいが、これに限定されない。
【０１２５】
図１４は別の実施形態に係る表示装置の断面図である。
【０１２６】
図１４を参照すると、本実施形態に係る表示装置１＿６は、支持樹脂８０をさらに含む点で図１０に示した実施形態とは異なる。支持樹脂８０は、光学フィルム支持部１１０ｐ上に塗布できる。本実施形態において、タッチ駆動基板５２との接触地点ＳＰＴは、支持樹脂８０の表面である。
【０１２７】
図１５は別の実施形態に係る表示装置の断面図である。
【０１２８】
図１５を参照すると、本実施形態に係る表示装置１＿７は、タッチ駆動基板５２がタッチ部材２０＿１の上面に取り付けられる場合を示している。タッチ部材２０＿１の段差部ＳＴＥは、タッチ部材２０＿１の上面に位置してもよい。タッチ部材２０＿１の下面は、タッチ突出部２０＿１ｐに至るまで平坦である。段差部ＳＴＥを基準にタッチ部材２０＿１の中央側の厚さよりも第１長辺ＬＳ１に対応するエッジ側の厚さが薄く、その上の空間にタッチ駆動基板５２が挿入されてタッチ部材２０＿１の上面に取り付けられてもよい。タッチ部材２０に取り付けられたタッチ駆動基板５２は、下側に曲げられ、下部の曲げ支持構造によって支持されることは、図８を参照して説明した実施形態と実質的に同一である。
【０１２９】
以下、タッチ部材の断面構造について説明する。
【０１３０】
図１６は一実施形態に係るタッチ部材の断面図である。図１６を参照すると、タッチ部材２０は、複数の第１タッチ電極２２１と第２タッチ電極２２２を含む。
【０１３１】
具体的には、第１基板２１０の下面に第１タッチ電極２２１が配置され、第１タッチ電極２２１の下部に第１絶縁膜２３３が配置され、第１絶縁膜２３３の下部に第２タッチ電極２２２が配置され、第２タッチ電極２２２の下部に第２絶縁膜２３４が配置され、第２絶縁膜２３４の下部に第２基板２５０が配置されてもよい。第１タッチ電極２２１と第２タッチ電極２２２は、第１絶縁膜２３３を挟んで他の層に形成されて互いに絶縁される。
【０１３２】
第１基板２１０と第２基板２５０は、それぞれ、ガラスやポリエチレンテレフタレート（ＰＥＴ）、ポリイミド（ＰＩ）、ポリカーボネート（ＰＣ）、ポリエチレン（ＰＥ）、ポリプロピレン（ＰＰ）、ポリスルホン（ＰＳＦ）、ポリメチルメタクリレート（ＰＭＭＡ）、トリアセチルセルロース（ＴＡＣ）、シクロオレフィンポリマー（ＣＯＰ）などのプラスチックフィルムからなることができる。
【０１３３】
第１タッチ電極２２１と第２タッチ電極２２２は、それぞれ複数個あり、相互に交差する。第１タッチ電極２２１と第２タッチ電極２２２は、ＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）などの透明な導電性酸化物、モリブデン、銀、チタン、銅、アルミニウム、またはこれらの合金などの金属材質、ＰＥＤＯＴなどの導電性高分子、金属ナノワイヤー、カーボンナノチューブ、グラフェンなどを含んでもよい。
【０１３４】
第１絶縁膜２３３と第２絶縁膜２３４は、アルミニウムオキサイド、チタニウムオキサイド、シリコンオキサイド、シリコンオキシナイトライド、ジルコニウムオキサイド、またはハフニウムオキサイドなどの無機膜、または、アクリル系樹脂、メタクリル系樹脂、ポリイソプレン、ビニール系樹脂、エポキシ系樹脂、ウレタン系樹脂、セルロース系樹脂、シロキサン系樹脂、ポリイミド系樹脂、ポリアミド系樹脂、ペリレン系樹脂などの有機膜からなってもよい。
【０１３５】
一実施形態において、第１基板２１０と第１タッチ電極２２１は、第２基板２５０に比べて外方に突出してタッチ突出部２０ｐをなす。これにより、タッチ部材２０の段差部ＳＴＥが定義できる。タッチ突出部２０ｐに位置する第１タッチ電極２２１は、タッチ配線パッド（図６の「２１」参照）として使用できる。
【０１３６】
図１７は他の実施形態に係るタッチ部材の断面図である。
【０１３７】
図１７を参照すると、本実施形態に係るタッチ部材２０＿２は、第１タッチ電極２２１と第２タッチ電極２２２が同一の層に形成されている点で図１６に示した実施形態とは異なる。すなわち、本実施形態では、第１基板２１０上に第１タッチ電極２２１と第２タッチ電極２２２が離隔して配置され、その上に第１絶縁膜２４１が配置される。第１絶縁膜２４１は、第１基板２１０の全面にわたって配置できる。第１絶縁膜２４１上に接続電極２２３が配置され、接続電極２２３上に第２絶縁膜２４２が配置される。接続電極２２３は、コンタクトホールＣＮＴを介して、隣接する第１タッチ電極２２１同士を電気的に接続することができる。
【０１３８】
接続電極２２３は、抵抗の低いモリブデン、銀、チタン、銅、アルミニウム、またはこれらの合金などの金属材質からなることができる。
【０１３９】
図１８は別の実施形態に係るタッチ部材の断面図である。
【０１４０】
図１８を参照すると、本実施形態に係るタッチ部材２０＿３は、第１絶縁膜２４１＿１が第１基板２１０の全面にわたって配置されず、島状に配置されている場合を示している。
【０１４１】
図１９は別の実施形態に係るタッチ部材の断面図である。
【０１４２】
図１９を参照すると、本実施形態に係るタッチ部材２０＿４は、第１基板２１０、第１タッチ電極２２１及び第２タッチ電極２２２、第１絶縁膜２４１、接続電極２２３、第２絶縁膜２４２の積層順序が図１７の実施形態とは反対である場合を示している。
【０１４３】
図示してはいないが、図１７〜図１９の実施形態においても、図１６の実施形態と同様に、タッチ突出部２０ｐ及び段差部ＳＴＥを含んでもよい。
【０１４４】
以上、添付図面を参照して本発明の実施形態を説明したが、本発明の属する技術分野における通常の知識を有する者は、本発明のその技術的思想や必須の特徴を変更せず、他の具体的な形態で実施できるということを理解することができるだろう。よって、以上で述べた実施形態は、すべての面で例示的なもので、限定的なものではないと理解すべきである。
【符号の説明】
【０１４５】
１０    表示モジュール
２０    タッチ部材
３０    ウィンドウ
５１    表示駆動基板
５２    タッチ駆動基板
【図１】
2019159313.tif 000003
【図２】
2019159313.tif 000004
【図３】
2019159313.tif 000005
【図４】
2019159313.tif 000006
【図５】
2019159313.tif 000007
【図６Ａ】
2019159313.tif 000008
【図６Ｂ】
2019159313.tif 000009
【図７】
2019159313.tif 000010
【図８】
2019159313.tif 000011
【図９】
2019159313.tif 000012
【図１０】
2019159313.tif 000013
【図１１】
2019159313.tif 000014
【図１２】
2019159313.tif 000015
【図１３】
2019159313.tif 000016
【図１４】
2019159313.tif 000017
【図１５】
2019159313.tif 000018
【図１６】
2019159313.tif 000019
【図１７】
2019159313.tif 000020
【図１８】
2019159313.tif 000021
【図１９】
2019159313.tif 000022